(57)【要約】【課題】建物の屋上や陸屋根の端部の小壁にできる雪庇の生成を防止する最適な装置を提供する。【解決手段】受雪パネル１０が軸方向両端に差し込み連結構造を有した受雪Ａパネルと受雪Ｂパネルで構成され、横方向に複数列に接続されて高さ方向に積層して構築され、受雪パネルを支持する受雪パネル取付台１４が、受雪パネルの傾斜角度θを適宜の範囲で調整できる機能を備える。受雪パネル１０の最上層に、上側先端の断面外形が鋭角な形状を有した雪庇切パネル１１を備え、傾斜角度φを適宜の範囲で調整できる機能を備える。受雪パネル取付台１４を支持する基礎台１６が、パラペットＰを挟みつけて取り付けられる機能を有する雪庇発生防止装置。【選択図】図１
2018197484.tif 000002
【特許請求の範囲】
【請求項１】
建物の屋上や陸屋根の端部の小壁にできる雪庇の生成を防止する装置であって、
受雪パネルと受雪パネル取付台、及び基礎台で構成され、
前記受雪パネルが其々両端に差し込み連結構造を有した受雪Ａパネルと受雪Ｂパネルで構成されて、横方向に複数列に接続され、
前記受雪パネルが高さ方向に積層して構築され、
前記受雪パネルを支持する受雪パネル取付台が、前記受雪パネルの傾斜角度を適宜の範囲で調整できる機能を備えたことを特徴とする雪庇発生防止装置。
【請求項２】
前記受雪パネルの最上層に、上側先端の断面外形が鋭角な形状を有した雪庇切パネルを備え、
前記雪庇切パネルが其々両端に差し込み連結構造を有した雪庇切Ａパネルと雪庇切Ｂパネルで構成されて、横方向に複数列に接続され、
該雪庇切パネルの傾斜角度を適宜の範囲で調整できる機能を備えたことを特徴とする請求項１に記載の雪庇発生防止装置。
【請求項３】
前記受雪パネル取付台を支持する前記基礎台が、パラペットを挟みつけて取り付けられる機能を有したことを特徴とする請求項１又は請求項２に記載の雪庇発生防止装置。
【請求項４】
前記受雪パネルと前記受雪パネル取付台の連結において、頭部上面が受雪Ａパネルの表面と略同一表面のボルトによって、ボルトスペーサーと角パイプスペーサーを介して、受雪Ａパネルと受雪Ｂパネル及び受雪パネル取付台の、其々の面部を３重に密接して固定したことを特徴とする請求項１〜請求項３の何れかに記載の雪庇発生防止装置。
【発明の詳細な説明】
【技術分野】
【０００１】  建物の屋上や陸屋根の端部の小壁にできる雪庇の生成を防止する装置に関する。
【背景技術】
【０００２】  建造物風下側の上縁部分に屋上の積雪が迫り出して雪庇が発生し、成長した雪庇は、通行人や建造物に損害を与える。これを防止するための装置として、たとえば、雪庇発生防止装置の開示がある（特許文献１参照）。これは、建造物屋上の風下側のパラペット上に、断面が直角三角形状の本体を、傾斜板を内側（風上側上方）に向けて沿設し、傾斜板によって建造物を吹き越す風の向きを上向きに変えるとともに、その風速を増加させることにより、建造物の風下側で発生する渦の位置をその壁面から遠くへ離し、雪庇の発生を防止するとしている。そして、傾斜面が下部傾斜板と急勾配の上部傾斜板とからなり、上部傾斜板支持枠体が交換可能にして取り付けられるとしている。
【先行技術文献】
【特許文献】
【０００３】
【特許文献１】特開２００４−２０４６３３号公報
【発明の概要】
【発明が解決しようとする課題】
【０００４】  特許文献１の装置は、傾斜板を構成する本体が、断面が直角三角形の横長筒で全一体化されていることと、本体を固定する柱脚がパラペットにアンカーボルトを植設して設置する必要があり、これらは取扱う上で大きな欠点である。また、設置場所の気象状況や屋根の形状、面積等に応じて、上部傾斜板支持枠体および上部傾斜板を適宜の大きさのものに交換して全体の高さを調整できるとしているが、逆に交換しなければ調整できないという欠点がある。
そこで本発明は、前記課題を解決し雪庇を発生させない雪庇発生防止装置を提供することを目的とする。
【課題を解決するための手段】
【０００５】  前記課題を解決するため、本発明は、建物の屋上や陸屋根の端部のパラペットと呼ばれる小壁にできる雪庇の生成を防止する装置であって、受雪パネルと受雪パネル取付台、及び基礎台で構成され、前記受雪パネルが其々両端に差し込み連結構造を有した受雪Ａパネルと受雪Ｂパネルで構成されて、横方向に複数列に接続され、前記受雪パネルが高さ方向に積層して構築され、前記受雪パネルを支持する受雪パネル取付台が、前記受雪パネルの傾斜角度を適宜の範囲で調整できる機能を備えたことを特徴とする雪庇発生防止装置とする。
また、前記受雪パネルの最上層に、上側先端の断面外形が鋭角な形状を有した雪庇切パネルを備え、前記雪庇切パネルが其々両端に差し込み連結構造を有した雪庇切Ａパネルと雪庇切Ｂパネルで構成されて、横方向に複数列に接続され、該雪庇切パネルの傾斜角度を適宜の範囲で調整できる機能を備えたことを特徴とする雪庇発生防止装置とするのが好ましい。【０００６】  また、前記受雪パネル取付台を支持する前記基礎台が、パラペットを挟みつけて取り付けられる機能を有したことを特徴とする雪庇発生防止装置とするのがこのましい。
また、前記受雪パネルと前記受雪パネル取付台の連結において、受雪パネル取付台の連結部の部材が角材の場合、頭部上面が受雪Ａパネルの表面と略同一表面のボルトによって、ボルトスペーサーと角パイプスペーサーを介して、受雪Ａパネルと受雪Ｂパネル、パネル取付台の、其々の面部を３重に密接して固定したことを特徴とする雪庇発生防止装置とするのが好ましい。
このことは、雪庇切パネル取付台の連結部の部材が角材の場合に同様の構成とするのが好ましい。
【発明の効果】
【０００７】  受雪パネル同士の接続を差し込み式としたのでスパンの調節ができる。受雪パネル取付台の角度を角度調節できるようにしたので、現場の状況に合わせて、現地の風向き、風速等に合わせた調節ができる。さらに雪庇切パネルを角度調節できるようにしたのでさらに現地に合わせて効果的に調節できる。
パネルとパネル取付台の連結において、スペーサーを設けたので、パネル表面が平滑にできるほか、ＡパネルとＢパネル及びパネル取付台の、其々の面部を３重に密接して強固に固定できる。
パラペットへの取付けは、挟み込み方式としたので、パラペットに従来のアンカーを打つなどの事前工事が必要なく、施工費を安価にできる。
【図面の簡単な説明】
【０００８】
【図１】本発明の全体を示す斜視図である。
【図２】部分拡大図して示す斜視図である。
【図３】部分を示す側面図である。
【図４】パネルの差し込み方法を示す斜視図である。
【図５】パネルとパネル取付台固定方法を示す説明図である。
【発明を実施するための形態】
【０００９】  本発明の実施の形態を図１〜図５を用いて詳細に説明する。
本発明は、パネル（受雪パネル１０及び雪庇切パネル１１）とパネル取付台（受雪パネル取付台１２及び雪庇切パネル取付台１３）、及び基礎台１６で構成される。
図に示すように受雪パネル１０が、傾斜した受雪パネル取付台１２に取り付けられ傾斜して設けられる。受雪パネル１０は傾斜面を建造物屋上の内側に向けて設置される。図１のＷを付した矢印方向が建造物屋上の内側から外側に向けて吹く対象とする風の方向である。
受雪パネル１０は受雪Ａパネル１０Ａと受雪Ｂパネル１０Ｂで成り、これら同士が横方向に複数列に連続して所定長さに接続され、上方向に所定高さに積層される。
【００１０】  受雪パネル１０を支持する受雪パネル取付台１２が、前記受雪パネルの傾斜角度θを適宜の範囲で調整できる機能を備える。また、前記受雪パネル１０の最上段に、上側先端の断面外形が鋭角な形状を有した雪庇切パネル１１を備え、該雪庇切パネルの傾斜角度φを適宜の範囲で調整できる機能を備える。
前記パネル取付台１２を支持する前記基礎台１６が、パラペットＰを挟みつけて取り付ける機能を有する。
【実施例】
【００１１】  受雪パネル１０は図４（ａ）に詳細を示すように板状で成り、軸方向となる横方向の上端側と下端側が、軸方向に垂直な断面が長方形の筒状に形成され、受雪Ｂパネル１０Ｂの下側と上側の筒状部２４Ｂ、２５Ｂが、受雪Ａパネル１０Ａの下側と上側の筒状部２４Ａ、２５Ａより差し込み可能に小さく形成され、受雪Ａパネル１０Ａの下側と上側の筒状部２４Ａ、２５Ａには、受雪Ｂパネルが差し込み可能にそれぞれ間隙２４Ａａ，２５Ａａが設けられる。
受雪Ａパネル１０Ａの下側と上側の筒状部２４Ａ、２５Ａに受雪Ｂパネル１０Ｂの筒状部２４Ｂ、２５Ｂが差し込まれて接続される。【００１２】  受雪Ａパネル１０Ａには接続用の２個の孔６３が備えられ、受雪Ｂパネル１０Ｂには加工と組み立ての自由度を考慮した接続用の２個の長孔６４が備えられ、ＡパネルにＢパネルが差し込まれた状態で、適宜の締結手段、図の例ではボルト５６ナット５７によって受雪パネル取付台１２に固定される。
前記筒状部は受雪パネル１０が板状に成形されるとき、曲げ強度に対応する剛性を向上する強度部材としての役割を有する。【００１３】  前記のように、受雪パネル１０は下から上に積層される。図１には、下から受雪Ａパネル１０Ａａ〜１０Ａｄの４段の例が示されている。これに横方向に受雪Ｂパネル１０Ｂａ〜１０ｄが接続され、さらに横方向に再度受雪Ａパネル１０Ａａ〜１０Ａｄが接続され、繰り返して所定の長さに設けられる。図１では、受雪Ａパネル１０Ａの長さがＬ１、組み合わせ後の受雪Ｂパネル１０Ｂ部の長さがＬ２として示している。積層される段数と高さは設置する状況により適宜決められる。【００１４】  積層したパネルの最上段に、図４（ｂ）に詳細を示すように、上側先端が鋭角に形成された雪庇切パネル１１が設けられる。雪庇切パネル１１は雪庇切パネル１１Ａと雪庇切パネル１１Ｂで成り、図に示すように上側の筒状部は、上側先端が鋭角に形成されて断面が裏面側に傾斜面を有する不等辺４辺形の筒状に形成される。これ以外は前記受雪パネルと同様であって、受雪パネル１１Ａの下側と上側の筒状部２４Ａ、２６Ａに受雪Ｂパネル１０Ｂの筒状部２４Ｂ、２６Ｂが差し込まれて接続される。【００１５】  受雪Ａパネル１０Ａａ〜１０Ａｄは下から順に受雪パネル取付台１２に固定され積層される。受雪Ｂパネル１０Ｂａ〜１０Ｂｄも同様である。
受雪パネル取付台１２の上側に傾斜アジャスター１４が図の例では対の平板状に設けられ、傾斜アジャスター１４には略長手方向に長穴２１が備えられ、後述の基礎台１６の横フレーム１６ａ端に連結された受雪パネルステー（支柱）１５の上端をボルト５１で固定している。後述するように、受雪パネル取付台１２、横フレーム１６ａ及び受雪パネルステー１５で３角形に構成され、長穴２１でのボルト５１の固定位置を変えることによって、３角形の相対角度が変わり、横フレーム１６ａに対するパネル取付台１２の傾斜角θを調節することができる。【００１６】  図３（ａ）では、長穴２１の途中にボルト５１を固定した場合を示しており、長穴２１の下側にボルト固定すると受雪パネル取付台１２の傾斜角度が大きく、上側にボルト固定すると傾斜角度が小さくなる。図３（ａ）の長穴２１は、ボルト５１固定位置によって傾斜角θを連続的に変えられるようにしたものであり、図３（ｂ）に示すように調整傾斜角θを適宜間隔として断続的な円孔２１ｂとしてもよい。【００１７】  図２、図３に詳細が示されるように、受雪パネル１０の最上段に雪庇切パネル１１を設ける。雪庇切パネル１１は雪庇切パネル取付台１３に適宜の締結手段、図の例ではボルト５６ナット５７で固定される。
図３（ａ）に示すように、傾斜アジャスター１４の上部に２か所の円弧状の長孔２２、２３が設けられ、雪庇切パネル取付台１３に設けられたフランジ部３３との間で、雪庇切パネル１１の下端を支点として、受雪パネル表面側に適宜範囲で傾斜した状態でボルト５２、５３で固定される。ボルト５２、５３の位置を長孔２２、２３の上端にした時受雪パネル１０に対する雪庇切パネル１１の傾斜角度φが最大となり、下端にした時傾斜角度φが零となるようにしている。【００１８】  図３（ａ）に示す長穴２２，２３はボルト５２，５３の固定位置を連続的に変えられることとしたものであり、図３（ｂ）に示すように、調整傾斜角を適宜間隔として断続的な円孔２２ｂ、２３ｂとしてもよい。図の例ではボルト５２、５３は円孔２２ｂ、２３ｂの最上段に位置しており、この時、雪庇切パネル１１の傾斜角度φが最大としている。
このようにして雪庇切パネル１１は受雪パネル１０に対する傾斜角φを適宜範囲で変えて調節することができる。【００１９】  ここまで、受雪パネル１０と受雪パネル取付台１２の固定、及び雪庇切パネル１１と雪庇切パネル取付台１３の固定は、これら部材の外側からボルト５６ナット５７で固定して例で説明しているが、固定強度の向上とパネル表面の平滑性の向上を目的として次のようにすることもよい。
図５に詳細を示すように、受雪パネル１０と受雪パネル取付台１２、及び雪庇切パネル１１と雪庇切パネル取付台１３を、ＡパネルとＢパネルの重ね部で、ボルト６１を用いて固定する。このときボルト６１の頭部上面がＡパネルの表面と略同一面となるようにＢパネルの筒状部内側に当接するボルトスペーサー６３を設ける。本例ではボルト６１は皿ボルトの例を示している。ボルトスペーサー６３は、ボルト６１を挿通する着脱自在な単体でもよいし、Ｂパネルの内側に固着されてもよい。単体の場合は、Ａパネル筒状部表面側にボルトスペーサーを装着するための通し穴６５を備える。【００２０】  パネル取付台１２の連結部の部材が角パイプで成る場合は、パネルとの連結部が密着して固定でき、かつ、前記ボルト６１に締結するナット６２の位置が角パイプの外側になるように、角パイプ内側面に当接する角パイプスペーサー６４を設ける。角パイプスペーサー６４は、ボルト６１を挿通する着脱自在な単体でもよいし、角パイプの内側に固着されてもよい。単体の場合は、角パイプ外側面に角パイプスペーサー６４を装着するための通し穴６６を備える。
この結果、ボルトスペーサーと角パイプペーサーを介して、ＡパネルとＢパネル、パネル取付台（角パイプ）の、其々の面部を３重に密接して固定することができ、接続強度を向上することができる。【００２１】  本実施例の基礎台１６は、パラペットＰを挟み込んで固定するクランプ式であって、横フレーム１６ａ、縦フレーム１６ｂ、１６ｃから成るコの字状の枠材の開口部に当て座４３ａ、４３ｂ、パッド４４ａ、４４ｂを設けてパラペットＰに横方向からあてがい、縦フレーム１６ｂ端に備えたクランプねじ４１、ナット４２で締め付けて固定する。パラペットにアンカーなどを植設するなどの特別の施工を必要としない。
基礎台１６の横フレーム１６ａの建築物内側にフランジ３１を備えてボルト５４で受雪パネル取付台の下側を固定し、建築物外側にフランジ３２を備えてボルト５５で受雪パネルステー１５の下端を固定する。受雪パネル取付台１２、横フレーム１６ａ及び受雪パネルステー１５で３角形に形成され、横フレーム１６ａが水平に設置されたとき、受雪パネル取付台１２と横フレーム１６ａが成す角度が受雪パネル取付台１２の設定した傾斜角度になる。
【符号の説明】
【００２２】１０  受雪パネル（１０Ａ  受雪Ａパネル、１０Ｂ  受雪Ｂパネル）
１１  雪庇切パネル（１１Ａ  雪庇切Ｂパネル、１１Ｂ  雪庇切Ｂパネル）
１２  受雪パネル取付台
１３  雪庇切パネル取付台
１４  傾斜アジャスター
１５  受雪パネルステー
１６  基礎台
【図１】
2018197484.tif 000003
【図２】
2018197484.tif 000004
【図３】
2018197484.tif 000005
【図４】
2018197484.tif 000006
【図５】
2018197484.tif 000007